(57)【要約】      （修正有）【課題】施工が簡易で、確実にパネルの落下を防止するパネルの落下防止構造を提供する。【解決手段】トンネル等の構造体の壁面に取り付けられたパネルの落下防止構造であって、線状係止部材３を備える。パネル１は取付金具２により縦方向に複数枚が取り付けられ、その背面側に突出し、線状係止部材に係止される被係止部を有する被係止部材４を備える。被係止部材は、縦２列となる位置に設けられている。線状係止部材は、最も上の被係止部よりも上方で壁面に支持され、第１列の被係止部の各々を係止するように上方から下方に向けて配されるとともに、第２列の被係止部の各々を係止するように下方から上方に向けて配されている。そして、線状係止部材は、タイルパネル正常時非緊張（弛ませる）状態となる長さに選定されている。【選択図】図２
0003223457.tif 000002
【実用新案登録請求の範囲】
【請求項１】
構造体の壁面に取り付けられた浮かし張り式タイルパネルの落下飛散防止構造であって、
線状係止部材を備え、
前記タイルパネルは縦方向に複数枚が取り付けられ、前記線状係止部材に係止される被係止部を有する被係止部材を備え、
前記被係止部材は、縦２列となる位置に設けられ、
前記線状係止部材は、最も上の前記被係止部よりも上方で前記壁面に支持され、
前記線状係止部材は、第１列の前記被係止部の各々を係止するように上方から下方に向けて配されるとともに、第２列の前記被係止部の各々を係止するように下方から上方に向けて配されており、
当該線状係止部材はタイルパネル非落下時非緊張（弛ませる）状態とされているパネルの落下飛散防止構造。
【請求項２】
前記パネルは、同じ高さ位置に、幅方向に所定の距離をあけて２つの被係止部材を備えている請求項１記載のパネルの落下防止構造。
【請求項３】
前記被係止部材は、前記パネルの高さ方向の中央よりも上方に設けられている請求項１または２記載のパネルの落下防止構造。
【請求項４】
前記線状係止部材は、横方向において、前記被係止部材の列の位置とは異なる位置で支持されている請求項１から３のいずれか一項に記載のパネルの落下防止構造。
【考案の詳細な説明】
【技術分野】
【０００１】
本考案は、トンネル等の構造物の壁面に取り付けられる浮かし張り（直張り）タイルパネルの取付構造、特に、複数段に取り付けられるパネルを支持する取付金具劣化時のパネルの落下飛散防止構造に関する。
【背景技術】
【０００２】
従来、構造物の壁面には、美観の向上、耐火，遮音等の機能の付与等を目的として種々のパネルを敷設することが行われている。例えば、近年のトンネルの内壁面には、美観向上や洗浄の簡便化のために、タイルパネルと呼ばれる、基板上に複数のタイルが固定されたパネルが敷設されている。
【０００３】
災害やパネルの取付金具の劣化等の原因によってこれらのパネルが落下した場合には、その飛散の方向によっては人的被害や物的被害が発生するおそれがある。もちろん、タイルが飛散すると、トンネル内を走行する車両の事故も誘発するおそれがある。
【０００４】
このような課題を解決するために、パネルの落下を防止するパネルの固定構造が提案されている。例えば、特許文献１は、パネルの背面にワイヤ係止具を取り付け、そのワイヤ係止具をセグメントに高さ方向または幅方向に張られたワイヤに係止することにより、パネルの落下を防止するパネル落下防止構造を開示している。
【０００５】
また、特許文献２では、タイルパネルの表または裏面から反対面にワイヤを挿通し、その反対面上を縦方向にワイヤを這わせた後に、元の面にワイヤを挿通するタイルパネルの落下防止機構が開示されている。
【０００６】
特許文献３では、タイルパネルの背面に落下防止用金具を取り付け、落下防止用金具の係止孔を横方向に張ったワイヤに係止させるタイルパネルの落下防止構造が開示されている。
【先行技術文献】
【特許文献】
【０００７】
【特許文献１】特開２００８−０３１６８５号公報
【特許文献２】特開２０１４−１７３３２３号公報
【特許文献３】特開２０１６−１６９５３１号公報
【考案の概要】
【考案が解決しようとする課題】
【０００８】
特許文献１や特許文献３のように、ワイヤを横方向に張架し、パネルの背面に取り付けられた金具等をそのワイヤに係止させる落下防止構造では、パネルの下端部を保持する金具等が外れた場合には、パネルはワイヤよって吊られた状態となるため、パネルの落下を防止することができる。しかしながら、このとき、ワイヤおよびワイヤを壁面等に固定している金具等に対して、パネルが落下しようとする下方への大きな力が作用し、その金具等が破損または壁等から脱落するおそれがある。
【０００９】
また、特許文献１において、縦方向にワイヤを張った落下防止構造では、上述のような可能性は小さい。しかしながら、この場合には、一番下のパネルの落下を防止することは困難である。一方、特許文献２の落下防止構造では、一番下のパネルの落下も防止することは可能である。しかしながら、特許文献２の落下防止構造では、パネルを縫うようにワイヤを這わせる必要があり、施工が複雑である。
【００１０】
本考案は上記課題に鑑みてなされたものであり、その目的は、施工が簡易で、確実にパネルの落下飛散を防止するパネルの落下飛散防止構造を提供することにある。
【課題を解決するための手段】
【００１１】
上記課題を解決するための本考案に係る、構造体の壁面に取り付けられた浮かし張り式タイルパネルの落下飛散防止構造は、線状係止部材３を備え、パネル１は縦方向に複数枚が取り付けられ、パネル１は、線状係止部材３に係止される被係止部４１を有する被係止部材４を備え、被係止部材４は、縦２列となる位置に設けられ、線状係止部材３は、最も上の被係止部４１よりも上方で壁面Ｗに支持され、線状係止部材３は、第１列の被係止部４１の各々を係止するように上方から下方に向けて配されるとともに、第２列の被係止部４１の各々を係止するように下方から上方に向けて配されている。そして、線状係止部材３は、タイルパネル正常時非緊張（弛ませる）状態となる長さに選定されている。
【００１２】
パネル１は、同じ高さ位置に、幅方向に所定の距離をあけて２つの被係止部材４を備えている。
【００１３】
被係止部材４は、パネル１の高さ方向の中央よりも上方に設けられている。
【００１４】
線状係止部材３は、横方向において、被係止部材４の列の位置とは異なる位置で支持されている。
【考案の効果】
【００１５】
本考案の構成（請求項１）では、上側のパネルの固定が外れた場合には、落下するパネルの背面に突出する被係止部が下側のパネルの上側縁辺に当接する、または、落下するパネルの下側縁辺が下側のパネルの被係止部に当接するため、パネルの落下を防止することができる。一方、最下段のパネルの固定が外れた場合には、折り返された部分の線状係止部材によって吊られた状態となり、パネルの落下を防止することができる。また、２列に配された被係止部に対して線状係止部材を略Ｕ字状に配するだけであるため、施工も容易である。これは、線状係止部材がタイルパネル非落下時非緊張状態とされているゆえに、前方に傾きはじめたとき、壁面側に進入するような挙動が生じうる可能性を確保し、タイルパネルの車道側へのはみ出しが少なく飛散が抑えられるか遅らせることができる。
【００１６】
パネル１が、同じ高さ位置に、幅方向に所定の距離をあけて２つの被係止部材４を備えていれば、落下するパネルを安定して受け止めることができる
【００１７】
パネルが、同じ高さ位置に、幅方向に所定の距離をあけて２箇所で係止されていると、支持を失ったパネルが下側のパネル等と当接した際や、最下段のパネルが線状係止部材に吊られた状態となった際に、左右に傾きにくくなり、確実に落下を防止することができる。
【００１８】
被係止部材4が、パネル１の高さ方向の中央よりも上方に設けられていれば、パネルが上開きで落下する際に、より早くその下側縁辺が下側のパネルの被係止部に当接させることができる。これにより、落下距離を小さく抑え、パネルの破損を少なくすることができる。
【００１９】
線状係止部材３が横方向において、被係止部材４の列の位置とは異なる位置で支持されているから、パネルの落下を止める際に、その力が線状係止部材を介して、線状係止部材を支持している部分に伝達される。このとき、パネルが落下した際の力を弱めるが、伝達される力が大きい場合でも、線状係止部材を支持している部分が破損等するおそれがなくなる。
【図面の簡単な説明】
【００２０】
【図１】トンネルの内壁面に取り付けられたタイルパネルの正面図である。
【図２】トンネルの内壁面に取り付けられたタイルパネルの背面図である。
【図３】トンネルの内壁面に取り付けられたタイルパネルの側面図である。
【図４】図３におけるＩＶ−ＩＶ部分断面図である。
【図５】上段のタイルパネルが落下した状態を示す側断面図である。
【図６】最下段のタイルパネルの支持がなくなり、ワイヤが緊張した正面図である。
【図７】別実施形態におけるトンネルの内壁面に取り付けられたタイルパネルの背面図である。
【考案を実施するための形態】
【００２１】
以下に図面を用いて、本考案に係るパネルの取付構造の実施形態を説明する。図１，図２，図３はそれぞれ、トンネル躯体の内壁面Ｗ（本考案における構造物の壁面の例。以下、壁面Ｗと称する）に取り付けられたタイルパネル１の正面図，背面図，側面図である。これらの図では、３枚のタイルパネル１が縦方向に取り付けられた状態を示している。なお、これらのタイルパネル１を区別する必要があるときには、上段，中段，下段のタイルパネル１をそれぞれタイルパネル１ａ，１ｂ，１ｃと表記する。また、図４は図３におけるＩＶ−ＩＶ部分断面図である。
【００２２】
本実施形態では、タイルパネル１は、基板１１（図３参照）の面上にタイル１２が９×５の格子状に配置され、弾性接着剤によって貼り付けられている。各々のタイル１２の間には隙間があり、縦目地１３および横目地１４を形成している。縦目地１３と横目地１４との交差点を目地交差点１５と称する。本実施形態では、基板１１は約１８００ｍｍ×５００ｍｍであり、タイル１２は例えば１８０ｍｍ×９０ｍｍである。
【００２３】
タイルパネル１は取付金具２によって壁面Ｗに対して浮かし張りされている。具体的には、各々のタイルパネル１は上側縁辺と下側縁辺のそれぞれの両側端部近傍および中央部を、壁面Ｗに固定された取付金具２によって支持されている。取付金具２は上端取付金具２ａ，中段取付金具２ｂ，下端取付金具２ｃの３種類があり、タイルパネル１ａの上側縁辺は３つの上端取付金具２ａによって倒れ止めされ、タイルパネル１ａの下側縁辺は３つの中段取付金具２ｂによって支持されている。一方、タイルパネル１ｂの上側縁辺は、タイルパネル１ａの下側縁辺を支持している中段取付金具２ｂによって倒れ止めされ、タイルパネル１ｂの下側縁辺は別の中段取付金具２ｂに支持されている。他方、タイルパネル１ｃの上側縁辺は、タイルパネル１ｂの下側縁辺を支持している中段取付金具２ｂによって倒れ止めされ、タイルパネル１ｃの下側縁辺は下端取付金具２ｃに支持されている。
【００２４】
図３を参照して、取付金具２の構造を説明する。上述したように、取付金具２は、上端取付金具２ａ，中段取付金具２ｂ，下端取付金具２ｃの３種類があるが、いずれも被固定部２１，延設部２２，背面支持部２３，水平部２４，前面支持部２５を備えている。被固定部２１は板状部材であり、図示しない貫通孔が形成されている。この貫通孔に対して図示しないアンカー等を挿通し、壁面Ｗに固定する。延設部２２は板状部材であり、被固定部２１の下端から斜め下方に延設されている。延設部２２の端部からは、板状の背面支持部２３が垂下されている。また、背面支持部２３の前面（図中左側面）から板状の水平部２４が略垂直に立設されている。水平部２４の前端には板状の前面支持部２５が略垂直に接続されている。
【００２５】
上端取付金具２ａ，中段取付金具２ｂ，下端取付金具２ｃでは、水平部２４の接続位置が異なっている。具体的には、上端取付金具２ａでは、水平部２４は背面支持部２３の上端と前面支持部２５の上端とを接続するように設けられている。これにより、側面視形状が下側に開口するコの字状となり、タイルパネル１ａの上側縁辺を受け入れ、倒れ止めすることができる。一方、下端取付金具２ｃでは、水平部２４は背面支持部２３の下端と前面支持部２５の下端とを接続するように設けられている。これにより、側面視形状が上側に開口するコの字状となり、タイルパネル１ｃの下側縁辺を受け入れ、支持することができる。
【００２６】
中段取付金具２ｂでは、背面支持部２３の縦方向の中央近傍と前面支持部２５の縦方向の中央近傍とを接続するように水平部２４が設けられている。これにより、側面視形状が、上側に開口するコの字状部と、下側に開口するコの字状部と、を重ねたような形状となる。これにより、上側のタイルパネル１の下側縁辺と、下側のタイルパネル１の上側縁辺とを受け入れ、支持または倒れ止めすることができる。
【００２７】
当然ながら、取付金具２は上述の構成に限定されるものではなく、他の構成であっても構わない。例えば、特開２０１５−１４０６１７号公報に開示されたタイルパネル用取付金具等を用いることもできる。
【００２８】
タイルパネル１は上述したように取付金具２によって、壁面Ｗに取り付けられているが、取付金具２が何らかの原因によって脱落等し、タイルパネル１を支持できなくなった際に、タイルパネル１の落下・飛散を防止するために以下の構造を備えている。
【００２９】
各々のタイルパネル１には２つのアイボルト４（本考案における被係止具の例）が取り付けられている。以下の説明において、アイボルト４を区別する必要があるときには、タイルパネル１ａ，１ｂ，１ｃのそれぞれに取り付けられたアイボルト４をそれぞれアイボルト４ａ，４ｂ，ａｃと表記し、さらに右側と左側とを区別する必要があるときにはそれぞれ符号Ｒ，Ｌを付す。なお、この右側、左側は背面視における左右である。
【００３０】
図４に示すように、アイボルト４は、リング状部４１（本考案における被係止部の例）と、ボルト本体４２と、を備えている。タイルパネル１の基板１１には取付孔１６が形成されている。この取付孔１６に対して、背面からボルト本体４２を挿通し、前面側でナット４３で締めることにより、リング状部４１が背面に突出した状態でアイボルト４を固定することができる。
【００３１】
このとき、各々のアイボルト４は図２に示す姿勢となるように固定する。具体的には、以下の通りである。中段のタイルパネル１ｂに取り付けられたアイボルト４ｂは、リング状部４１の孔が上下方向を向く姿勢（以下、基準姿勢と称する）とする。一方、下段のタイルパネル１ｃに取り付けられた左側のアイボルト４ｃＬは、基準姿勢から、背面視において反時計回りに４５°回転した姿勢であり、右側のアイボルト４ｃＲは、基準姿勢から、背面視において時計回りに４５°回転した姿勢とする。他方、上段のタイルパネル１ａに取り付けられた左側のアイボルト４ａＬは、基準姿勢から、背面視において時計回りにθ（＜９０°）回転した姿勢であり、右側のアイボルト４ａＲは、基準姿勢から、背面視において反時計回りにθ回転した姿勢とする。
【００３２】
タイル１２は固くまた脆いために、タイル１２に取付孔１６を形成することは好ましくない。そのため、取付孔１６は目地交差点１５に形成するのが好ましい。本実施形態では、図１に示すように、上から１段目のタイル１２と上から２段目のタイル１２との間で、左から２番目のタイル１２と左から３番目のタイル１２との間の目地交差点１２と、右から２番目のタイル１２と右から３番目のタイル１２との間の目地交差点１５と、に取付孔１６が形成されている。
【００３３】
図１および図２に示すように、壁面Ｗには２つのＬ型金具５がアンカー６によって固定されており、各々のＬ型金具５にはアイボルト７が固定されている。２つのＬ型金具５は、タイルパネル１ａの上端よりも上方に、水平方向に所定の距離があくように固定されている。これらのアイボルト７に対して、アイボルト４を係止するためのワイヤ３（本考案における線状係止部材の例）の各々の端部が固定されている。
【００３４】
ワイヤ３は、具体的には以下のようにアイボルト４を挿通している。左側のアイボルト７に一方の端部が固定されたワイヤ３は、アイボルト４ａＬのリング状部４１に上から下に向けて挿通され、さらにアイボルト４ｂＬおよびアイボルト４ｃＬのリング状部４１に挿通される。
アイボルト４ｃＬのリング状部４１に挿通されたワイヤ３は、右側のアイボルト４ｃＲに向けて折り返されて、アイボルト４ｃＲのリング状部４１に左から上に向けて挿通される。アイボルト４ｃＲのリング状部４１に挿通されたワイヤ３は、アイボルト４ｂＲ、アイボルト４ａＲのリング状部４１に下から上に向けて挿通される。そして、ワイヤ３の他方の端部は、右側のアイボルト７のリング状部４１に固定挿通される。
【００３５】
このとき、とりわけ図２に示すように、ワイヤ３はタイルパネル正常時非緊張（弛ませる）状態となる長さに選定されて取り付けられる。また、本実施形態では、図３に示すように、アイボルト７がアイボルト４のリング状部４１よりも壁面Ｗ側となるようにしておく。なお、図６に示すように、下段のタイルパネルの支持がなくなった時のみ、そのタイルパネル１ｃの重みにより、ワイヤが緊張状態となる長さに選定されている。
【００３６】
本実施形態では、２つのＬ型金具５の間の水平方向距離は、アイボルト４の水平方向距離よりも小さくなっている。具体的には、左側のＬ型金具５およびアイボルト７は、左側のアイボルト４Ｌよりも内側、すなわち、右側に配置されており、右側のＬ型金具５およびアイボルト７は、右側のアイボルト４Ｒよりも内側、すなわち、左側に配置されている。タイルパネル１ａ取り付けられたアイボルト４ａのリング状部４１の中心から、アイボルト７のリング状部の中心を見た角度が約θである。また、Ｌ型金具５も水平ではなく、アイボルト４ａの方を向くように、約θだけ傾けた状態で固定されている。Ｌ型金具５をこのような配置とすることにより、アイボルト４ａからアイボルト７に向かうワイヤは鉛直ではなく、鉛直方向から約θだけ内方に傾いた状態となる。
【００３７】
以下に、このような構造によって、タイルパネル１の落下を防止する仕組みについて説明する。図５（ａ），（ｂ）は何らかの理由によってタイルパネル１ａの下側縁辺を支持している上端取付金具２ａが破損または脱落した状態の側断面図である。図５（ａ）はタイルパネル１ａの下端がタイルパネル１ｂの前面側に傾いた姿勢、すなわち、下開き姿勢となった状態である。
【００３８】
しかし、ワイヤが元々緊張していたなら、タイルパネル１ａが落下するに従って、ワイヤ３によってパネル１ａの上側縁辺が、アイボルトのリング状部４ａを介して壁面Ｗ側に引っ張られる結果、パネルの下開き姿勢が助長され、益々パネルの車道側へはみ出しが酷くなる。となれば、車の事故が生ずる機会を増やしてしまい、車の流れを阻害する。したがって、下開き姿勢となるのは避けることが好ましい。
【００３９】
図５（ｂ）はタイルパネル１ａの下端が壁面Ｗ側に傾いた姿勢、すなわち、上開き姿勢となった状態である。この場合には、タイルパネル１ａの下側縁辺がアイボルト４ｂに当接する。このとき、ワイヤ３が弛んだ状態であるため、すなわち、タイルパネル１ａの上側縁辺が壁面Ｗ側に進入する傾向が強い。これは、前方に傾きはじめたとき、このような挙動が生じうる可能性を確保し、タイルパネルの車道側へのはみ出しが少なく飛散が抑えられるか遅らせることができる。また、本実施形態では、アイボルト４はタイルパネル１の高さの約８０％の位置に取り付けられているため、タイルパネル１ａは高さの約２０％の距離のずれ落ちで止めることができる。また、タイルパネル１ａのタイル１２がタイルパネル１ｂに接触する範囲も小さくすることができ、タイルパネル１ａの破損も小さく抑えることができる。
【００４０】
一方、下端取付金具２ｃが外れたときには、図６のようなやむ得ない場合はなくもないが、飛散は避けられる。
【００４１】
また、上述したように、ワイヤ３の上端をハの字状のいずれかにすることにより、タイルパネル１の落下によってＬ型金具５に伝達される下向きの力を小さくすることができる。そのため、Ｌ型金具５が脱落しにくくなっている。
【００４２】
〔別実施形態〕
（１）上述の実施形態では、１枚のタイルパネル１に対して２つのアイボルト４を取り付けたが、図７に示すように、縦２列に配置されたタイルパネル１の各々に対して１つのアイボルト４を取り付けることによって、アイボルト４を縦２列に配置することもできる。この場合にも、上述した実施形態と同様にワイヤ３を配置する。
【００４３】
（２）上述の実施形態では、Ｌ型金具５の水平位置をアイボルト４よりも内側となるように配置したが、アイボルト４と同じ、または、外側となるように配置することもできる。
【００４４】
（３）上述の実施形態では、アイボルト４をタイルパネル１の高さの約８０％の位置に配置したが、他の高さ位置に配置することもできる。
【００４５】
（４）上述の実施形態では、被係止具としてアイボルトを用いたがこれに限定されるものではなく、上述したアイボルト４と同様の作用効果を奏する部材であれば被係止具として用いることができる。
【００４６】
（５）上述の実施形態では、ワイヤ３の端部をＬ型金具５とアイボルト７とによって壁面Ｗに支持させたが、ワイヤ３の端部以外の部分を壁面Ｗに支持させても構わない。
【産業上の利用可能性】
【００４７】
本考案は、トンネル躯体の内壁面に固定されるタイルパネルをはじめとして、耐火パネル、遮音パネル等のパネルであって、縦方向に複数枚が取り付けられるパネルの落下防止構造に利用することができる。
【符号の説明】
【００４８】
Ｗ：壁面   １，１ａ，１ｂ，１ｃ：タイルパネル（パネル）  １１：基板  １２：タイル  １３：縦目地  １４：横目地  １５：目地交差点  １６：取付孔  ２：取付金具  ２ａ：上端取付金具（取付金具）  ２ｂ：中段取付金具（取付金具）  ２ｃ：下端取付金具（取付金具）２１：被固定部  ２２：延設部  ２３：背面支持部  ２４：水平部  ２５：前面支持部  ３：ワイヤ（線状係止部材）  ４，４ａ，４ｂ，４ｃ，４ａＲ，４ｂＲ，４ｃＲ，４ａＬ，４ｂＬ，４ｃＬ：アイボルト（被係止具）  ４１：リング状部（被係止部）  ４２：ボルト本体  ４３：ナット  ５：Ｌ型金具  ６：アンカー  ７：アイボルト。
【図１】
0003223457.tif 000003
【図２】
0003223457.tif 000004
【図３】
0003223457.tif 000005
【図４】
0003223457.tif 000006
【図５】
0003223457.tif 000007
【図６】
0003223457.tif 000008
【図７】
0003223457.tif 000009